(57)【特許請求の範囲】
【請求項１】
あらかじめ定められた第１の設定数の包装品が列状に連結されている連結包装製品の製造装置であって、
複数の包装品が列状に連結されている包装品連結体を形成して搬送する形成ユニットと、
包装品連結体内の包装品がそれぞれ良包装品か不良包装品かを判断する判断ユニットと、
搬送されている包装品連結体を切断する切断ユニットであって、第１の設定数の良包装品が連続して搬送されるごとに包装品連結体を切断すると共に、良包装品と不良包装品との間において包装品連結体を切断し、それにより、第１の設定数の良包装品から構成される良製品、第１の設定数よりも少ない数の良包装品から構成される端数製品、及び、少なくとも１つの不良包装品から構成される不良製品を形成する切断ユニットと、
良製品、端数製品、及び不良製品をそれぞれ互いに異なる搬送経路に沿って搬送する振り分けユニットと、
を具備した、連結包装製品の製造装置。
【請求項２】
前記包装品が、内容物と、内容物を包装する包装材とから構成され、内容物が接着剤又は粘着剤により包装材に固定されている、請求項１に記載の連結包装製品の製造装置。
【請求項３】
前記不良包装品が包装不良包装品と内容物不良包装品とを含む、請求項１又は２に記載の連結包装製品の製造装置。
【請求項４】
前記判断ユニットは、包装品連結体内の包装品がそれぞれ良包装品か包装不良包装品か内容物不良包装品かを判断し、
前記切断ユニットは、第１の設定数の良包装品が連続して搬送されるごとに包装品連結体を切断すると共に、良包装品と包装不良包装品との間、良包装品と内容物不良包装品との間、及び、包装不良包装品と内容物不良包装品との間において包装品連結体を切断し、それにより、良製品、端数製品、少なくとも１つの包装不良包装品から構成される包装不良製品、及び、少なくとも１つの内容物不良包装品から構成される内容物不良製品を形成し、
前記振り分けユニットは、良製品、端数製品、包装不良製品、及び内容物不良製品をそれぞれ互いに異なる搬送経路に沿って搬送する、
請求項３に記載の連結包装製品の製造装置。
【請求項５】
前記切断ユニットは、あらかじめ定められた第２の設定数の不良包装品が連続して搬送されるごとに包装品連結体を切断する、請求項１から４までのいずれか一項に記載の連結包装製品の製造装置。
【請求項６】
前記形成ユニットは、内容物製造装置から順次的に供給される内容物を、連続する包装材により順次的に包装することにより、包装品連結体を形成する、請求項１から５までのいずれか一項に記載の連結包装製品の製造装置。
【請求項７】
前記包装品が吸収性物品包装品から構成される、請求項１から６までのいずれか一項に記載の連結包装製品の製造装置。
【請求項８】
あらかじめ定められた第１の設定数の包装品が列状に連結されている連結包装製品の製造方法であって、
複数の包装品が列状に連結されている包装品連結体を形成して搬送する形成ステップと、
包装品連結体内の包装品がそれぞれ良包装品か不良包装品かを判断する判断ステップと、
搬送されている包装品連結体を切断する切断ステップであって、第１の設定数の良包装品が連続して搬送されるごとに包装品連結体を切断すると共に、良包装品と不良包装品との間において包装品連結体を切断し、それにより、第１の設定数の良包装品から構成される良製品、第１の設定数よりも少ない数の良包装品から構成される端数製品、及び、少なくとも１つの不良包装品から構成される不良製品を形成する切断ステップと、
良製品、端数製品、及び不良製品をそれぞれ互いに異なる搬送経路に沿って搬送する振り分けステップと、
を具備した、連結包装製品の製造方法。
【発明の詳細な説明】
【技術分野】
【０００１】
本発明は連結包装製品の製造装置及び製造方法に関する。
【背景技術】
【０００２】
あらかじめ定められた設定数の包装品が列状に連結されている連結包装製品の製造装置であって、複数の包装品が列状に連結されている包装品連結体を形成して搬送し、設定数の包装品が連続して搬送されるごとに包装品連結体を切断すると共に、包装品連結体に不良包装品が含まれるときには、設定数とは異なる数の包装品が連結されるように包装品連結体を切断し、それにより、不良包装品を含まない良製品と、不良包装品を含む不良製品とを形成し、良製品を正規経路に導くと共に不良製品を正規経路から排除する、連結包装製品の製造装置が公知である（特許文献１参照）。このようにすると、例えば、良製品の質量と不良製品の質量とが互いに異なることになる。したがって、不良製品を容易に検出して正規経路から排除することが可能になる。
【先行技術文献】
【特許文献】
【０００３】
【特許文献１】特開２００４−３５２２８７号公報
【発明の概要】
【発明が解決しようとする課題】
【０００４】
しかしながら、上述の製造装置では、不良製品に良包装品が含まれる。したがって、不良製品が正規経路から排除されると、良包装品も不良包装品と共に排除されることになる。すなわち、良製品を製造するのに良包装品を効果的に使用することができない。その結果、良製品の製造効率が低下するおそれがある。
【課題を解決するための手段】
【０００５】
本発明の第１の観点によれば、あらかじめ定められた第１の設定数の包装品が列状に連結されている連結包装製品の製造装置であって、複数の包装品が列状に連結されている包装品連結体を形成して搬送する形成ユニットと、包装品連結体内の包装品がそれぞれ良包装品か不良包装品かを判断する判断ユニットと、搬送されている包装品連結体を切断する切断ユニットであって、第１の設定数の良包装品が連続して搬送されるごとに包装品連結体を切断すると共に、良包装品と不良包装品との間において包装品連結体を切断し、それにより、第１の設定数の良包装品から構成される良製品、第１の設定数よりも少ない数の良包装品から構成される端数製品、及び、少なくとも１つの不良包装品から構成される不良製品を形成する切断ユニットと、良製品、端数製品、及び不良製品をそれぞれ互いに異なる搬送経路に沿って搬送する振り分けユニットと、を具備した、連結包装製品の製造装置が提供される。
【０００６】
また、本発明の第２の観点によれば、あらかじめ定められた第１の設定数の包装品が列状に連結されている連結包装製品の製造方法であって、複数の包装品が列状に連結されている包装品連結体を形成して搬送する形成ステップと、包装品連結体内の包装品がそれぞれ良包装品か不良包装品かを判断する判断ステップと、搬送されている包装品連結体を切断する切断ステップであって、第１の設定数の良包装品が連続して搬送されるごとに包装品連結体を切断すると共に、良包装品と不良包装品との間において包装品連結体を切断し、それにより、第１の設定数の良包装品から構成される良製品、第１の設定数よりも少ない数の良包装品から構成される端数製品、及び、少なくとも１つの不良包装品から構成される不良製品を形成する切断ステップと、良製品、端数製品、及び不良製品をそれぞれ互いに異なる搬送経路に沿って搬送する振り分けステップと、を具備した、連結包装製品の製造方法が提供される。
【発明の効果】
【０００７】
連結包装製品の製造効率を高めることができる。
【図面の簡単な説明】
【０００８】
【図１】連結包装製品を示す図である。
【図２】本発明による実施例における連結包装製品製造装置の概略全体図である。
【図３】図２の実施例における切断作用を説明する線図である。
【図４】本発明による別の実施例における連結包装製品製造装置の概略部分図である。
【図５】図４の実施例における切断作用を説明する線図である。
【発明を実施するための形態】
【０００９】
図１（Ａ），１（Ｂ），１（Ｃ）はそれぞれ、連結包装製品１の底面図、頂面図及び側面図を示している。図１（Ａ），１（Ｂ），１（Ｃ）を参照すると、連結包装製品１は、あらかじめ定められた第１の設定数の包装品２から構成され、これら包装品２は互いに列状に連結されている。
【００１０】
包装品２はそれぞれ、内容物３と、内容物３を包装する包装材４とから構成され、長手方向両端において横方向に延びるシール部分５と、縦方向に延びるシール部分６とによってシールされている。これら包装品２は、シール部分５に設けられたミシン目のような弱め線７を介して互いに連結されている。連結包装製品１を弱め線６に沿って切断することにより、個々の包装品２が得られる。
【００１１】
包装品２は例えば吸収性物品包装品から構成される。すなわち、内容物３は生理用ナプキン、オムツといった吸収性物品から構成され、包装材４は吸収性物品を包装するのに適したシート材から構成される。また、包装材４の内面には接着剤又は粘着剤が適用されており、これにより内容物３は包装材４に固定されている。このようにすると、内容物３が包装品２内部で移動するのを抑制することができる。
【００１２】
第１の設定数は、２以上の数に設定することができ、本発明による実施例では１０に設定されている。
【００１３】
図２は、連結包装製品１の製造装置１０を示している。図２を参照すると、連結包装製品製造装置１０は、形成ユニット１０Ａ、判断ユニット１０Ｂ、切断ユニット１０Ｃ、及び振り分けユニット１０Ｄを具備する。
【００１４】
形成ユニット１０Ａでは、複数の包装品２が列状に連結されている包装品連結体が形成されて搬送される。具体的には、ローラ２１及びベルトコンベア２２によって、包装材４がロール４Ａから巻き戻され、ウエブの形で連続的に搬送される。一方、例えば負圧吸引式のベルトコンベア２３及びローラ２４によって、内容物３が搬送され、搬送されている包装材４上に順次的に供給される。
【００１５】
ここで、ベルトコンベア２３は、内容物３を順次的に製造して排出する内容物製造装置Ｐから内容物３を受け取る。すなわち、連結包装製品製造装置１０は内容物製造装置Ｐに直接的に接続されている。
【００１６】
また、接着剤適用器２５によって、ホットメルト接着剤のような接着剤が包装材４に間欠的に適用される。その結果、内容物３が包装材４に固定される。なお、内容物３を粘着剤により包装材４に固定してもよいし、あるいは包装材４に固定しなくてもよい。
【００１７】
内容物３及び包装材４は次いで、ベルトコンベア２６によって更に搬送される。このとき、ベルトコンベア２６に対面配置されたガイド部材２７により、内容物３を包むように包装材４が折り曲げられる。この場合、包装材４の横方向両縁が互いに重ね合わされ、縦方向に延びる重なり部分が形成される。その結果、包装材４は内容物３を収容した筒状形状となる。
【００１８】
内容物３を収容した筒状の包装材４は次いで、互いに対面配置された一対のベルトコンベア２８，２９の間に把持されつつ、縦方向に更に搬送され、シール器３０まで搬送される。シール器３０では、まず、包装材４に形成されている上述の重なり部分がシールされ、シール部分６（図１）が形成される。次いで、互いに隣接する内容物３同士の間において包装材４が横方向にシールされ、シール部分５（図１）が形成される。また、シール部分５に弱め線７（図１）が形成される。その結果、内容物３及び包装材４により構成される包装品２が形成される。同時に、複数の包装品２が列状に連結されている包装品連結体８が形成される。
【００１９】
包装品連結体８は、互いに対面配置された一対のベルトコンベア３１，３２の間に把持されつつ、縦方向に更に搬送され、切断ユニット１０Ｃにまで搬送される。
【００２０】
切断ユニット１０Ｃでは、搬送されている包装品連結体８が切断される。すなわち、包装品連結体８は、互いに対面配置された一対のローラ３３，３４の間に把持されつつ搬送される。包装品連結体８を切断すべきでないときには、ローラ３３，３４はベルトコンベア３１，３２とほぼ同じ速度で包装品連結体８を搬送する。これに対し、包装品連結体８を切断すべきときには、ローラ３３，３４はベルトコンベア３１，３２よりも高速度で包装品連結体８を搬送する。その結果、包装品連結体８の下流側部分がベルトコンベア３１，３２により把持されているので、包装品連結体８が弱め線７に沿って切断される。このようにして、少なくとも１つの包装品２から構成される製品９が形成される。
【００２１】
製品９は次いで、互いに対面配置された一対のローラ３５，３６の間に把持されつつ、縦方向に搬送され、振り分けユニット１０Ｄまで搬送される。
【００２２】
振り分けユニット１０Ｄでは、製品９は、例えば負圧吸引式のベルトコンベア３７と、ベルトコンベア３７に対面配置されたベルトコンベア３８，３９とによって搬送される。
【００２３】
ベルトコンベア３７とベルトコンベア３９との間には第１の搬送経路Ｔ１が連通されており、ベルトコンベア３８とベルトコンベア３９との間には第２の搬送経路Ｔ２が連通されており、ベルトコンベア３５とベルトコンベア３８との間には第３の搬送経路Ｔ３が連通されている。
【００２４】
また、ベルトコンベア３７によって搬送されている製品９を例えば空気ジェットでもって偏向させる偏向器４０，４１が設けられる。偏向器４０が作動されると、製品９がベルトコンベア３７から離れ、第３の搬送経路Ｔ３に沿って搬送される。偏向器４０の作動が停止されつつ偏向器４１が作動されると、製品９が第２の搬送経路Ｔ２に沿って搬送される。偏向器４０，４１の作動が停止されると、製品９が第１の搬送経路Ｔ１に沿って搬送される。このようにして、製品９が互いに異なる搬送経路Ｔ１，Ｔ２，Ｔ３に振り分けられる。
【００２５】
なお、製品９の位置を検出するセンサ４２，４３が偏向器４０，４１にそれぞれ付設され、これらセンサ４２，４３からの出力に基づいて偏向器４０，４１が起動される。その結果、第２の搬送経路Ｔ２及び第３の搬送経路Ｔ３に搬送すべき製品９を確実に偏向させることができる。
【００２６】
上述したように、形成ユニット１０Ｂでは包装品２が形成される。しかしながら、包装品２は、良包装品ばかりでなく、不良包装品も含まれる可能性がある。不良包装品には、例えば包装不良包装品及び内容物不良包装品が含まれる。包装不良包装品には、例えば、包装材４自体が不良であるもの、シール部分５，６が不良であるもの、内容物３が包装材４に対し正規の位置に固定されていないもの、等が含まれる。一方、内容物不良包装品には内容物３自体が不良であるものが含まれる。
【００２７】
そこで判断ユニット１０Ｂでは、包装品連結体８内の包装品２が良包装品であるか不良包装品であるかが判断される。この判断は、例えば、内容物製造装置Ｐに設けられて内容物３の不良を検出するセンサ４４、包装材４の不良を検出するセンサ４５、接着剤の不良を検出するセンサ４６、折り曲げられた包装材４の不良を検出するセンサ４７、シール部分５，６の不良を検出するセンサ４８、包装材４に対する内容物３の位置の不良を検出するセンサ４９等によって行うことができる。
【００２８】
連結包装製品製造装置１０には制御器５０が設けられる。制御器５０は、例えばＣＰＵ、メモリ、入力ポート、及び出力ポートを備えたコンピュータから構成される。センサ４２，４３，４４，４５，４６，４７，４８，４９の出力は制御器５０に入力される。例えばシール器３０には、包装品２が形成されるごとにパルスを発生するパルス発生器５１が取り付けられる。このパルス発生器５１の発生パルスも制御器５０に入力される。したがって、制御器５０では、切断ユニット１０Ｃ、特にローラ３３，３４に搬送される包装品２が良包装品であるか不良包装品であるかが判断される。一方、接着適用器２５、切断ユニット１０Ｃのローラ３３，３４、偏向器４０，４１も制御器５０に接続され、制御器５０からの信号に基づいて制御される。
【００２９】
さて、上述の切断ユニット１０Ｃでは、第１の設定数の良包装品が連続して搬送されるごとに、包装品連結体８が切断される。その結果、第１の設定数の良包装品から構成される良製品、すなわち連結包装製品１が形成される。
【００３０】
また、良包装品と不良包装品との間において包装品連結体８が切断される。その結果、第１の設定数よりも少ない数の良包装品から構成される端数製品、及び、少なくとも１つの不良包装品から構成される不良製品が形成される。
【００３１】
更に、あらかじめ定められた第２の設定数の不良包装品が連続して搬送されるごとに、包装品連結体８が切断される。その結果、上述の不良製品は、多くても第２の設定数の不良包装品から構成される。なお、第２の設定数は１以上の数に設定することができ、本発明による実施例では５に設定されている。なお、第２の設定数は第１の設定数と同じでもよい。
【００３２】
このように、上述した製品９は、良製品、端数製品、及び不良製品から構成されることになる。
【００３３】
図３を参照して、切断ユニット１０Ｃでの切断作用を更に説明する。なお、図３においてＭは包装品連結体８の搬送方向を示している。
【００３４】
図３にＸ１で示されるように、切断ユニット１０Ｃに搬送される包装品２が良包装品２Ｇから不良包装品２Ｄに切り換わると、包装品連結体８が切断される。その結果、端数製品１Ｆが形成される。次いで、Ｘ２で示されるように、搬送される包装品２が不良包装品２Ｄから良包装品２Ｇに切り換わると、包装品連結体８が切断される。その結果、不良製品１Ｄが形成される。次いで、Ｘ３で示されるように、良包装品２Ｇが第１の設定数だけ連続して搬送されると、包装品連結体８が切断され、良製品１Ｇが形成される。
【００３５】
次いで、Ｘ４で示されるように、搬送される包装品２が良包装品２Ｇから不良包装品２Ｄに切り換わると、包装品連結体８が切断され、端数製品１Ｆが形成される。次いで、Ｘ５で示されるように、不良包装品２Ｄが第２の設定数だけ連続して搬送されると、包装品連結体８が切断され、不良製品１Ｄが形成される。
【００３６】
その上で、良製品１Ｇは第１の搬送経路Ｔ１に沿って搬送され、端数製品１Ｆは第２の搬送経路Ｔ２に沿って搬送され、不良製品１Ｄは第３の搬送経路Ｔ３に沿って搬送される。すなわち、良製品１Ｇ、端数製品１Ｆ、及び不良製品１Ｄがそれぞれ互いに異なる搬送経路Ｔ１，Ｔ２，Ｔ３に沿って搬送される。
【００３７】
なお、製品９が良製品１Ｇであるか端数製品１Ｆであるか不良製品１Ｄであるかは、切断ユニット１０Ｃに搬送される包装品２が良包装品２Ｇであるか不良包装品２Ｄであるかに基づいて、制御器５０において決定される。
【００３８】
このようにすると、不良製品１Ｄに良包装品１Ｇが含まれない。したがって、良製品１Ｇ、すなわち連結包装製品１の製造効率を高めることができる。なお、不良製品１Ｄは廃棄される。
【００３９】
また、端数製品１Ｆには不良包装品２Ｄが含まれない。したがって、第１の設定数の良包装品２Ｇが連結されるように端数製品１Ｆ同士を互いに連結することにより、良製品１Ｇを形成することができる。したがって、連結包装製品１の製造効率を更に高めることができる。
【００４０】
更に、不良製品１Ｄは多くても第２の設定数の不良包装品２Ｄから構成される。すなわち、不良製品１Ｄが過度に長くなるのが阻止される。したがって、不良製品１Ｄを第３の搬送経路Ｔ３に沿って良好に搬送することが可能となる。
【００４１】
なお、本発明による実施例では、内容物３自体が不良であっても、不良の内容物３は内容物製造装置Ｐから排出されない。すなわち、不良の内容物３が連結包装製品製造装置１０に供給され、包装される。したがって、形成ユニット１０Ａは、内容物製造装置Ｐから順次的に供給される内容物３を、連続する包装材４により順次的に包装することにより、包装品連結体８を形成しているということになる。このようにすると、すべての包装品２に内容物３が含まれることになる。
【００４２】
図４は本発明による別の実施例を示している。図４を参照すると、振り分けユニット１０Ｄでは、製品９は、ベルトコンベア３７と、ベルトコンベア３７に対面配置されたベルトコンベア３８ａ，３８，３９とによって搬送される。
【００４３】
ベルトコンベア３７とベルトコンベア３９との間には第１の搬送経路Ｔ１が連通されており、ベルトコンベア３８とベルトコンベア３９との間には第２の搬送経路Ｔ２が連通されており、ベルトコンベア３８ａとベルトコンベア３８との間には第２の搬送経路Ｔ２が連通されており、ベルトコンベア３５とベルトコンベア３８ａとの間には第４の搬送経路Ｔ４が連通されている。
【００４４】
また、ベルトコンベア３７によって搬送されている製品９を例えば空気ジェットでもって偏向させる偏向器４０ａ，４０，４１が設けられる。偏向器４０ａが作動されると、製品９がベルトコンベア３７から離れ、第４の搬送経路Ｔ４に沿って搬送される。偏向器４０ａの作動が停止されつつ偏向器４０が作動されると、製品９が第３の搬送経路Ｔ３に沿って搬送される。偏向器４０ａ，４０の作動が停止されつつ偏向器４１が作動されると、製品９が第２の搬送経路Ｔ２に沿って搬送される。偏向器４０ａ，４０，４１の作動が停止されると、製品９が第１の搬送経路Ｔ１に沿って搬送される。
【００４５】
更に、製品９の位置を検出するセンサ４２ａ，４２，４３が偏向器４０ａ，４０，４１にそれぞれ付設される。
【００４６】
図４に示される実施例では、判断ユニット１０Ｂにおいて、包装品連結体８内の包装品２が良包装品であるか包装不良包装品であるか内容物不良製品であるかが判断される。
【００４７】
その上で、切断ユニット１０Ｃでは、第１の設定数の良包装品が連続して搬送されるごとに、包装品連結体８が切断される。その結果、第１の設定数の良包装品から構成される良製品、すなわち連結包装製品１が形成される。
【００４８】
また、良包装品と包装不良包装品との間、良包装品と内容物不良包装品との間、及び、包装不良包装品と内容物不良包装品との間において、包装品連結体８が切断される。その結果、端数製品、少なくとも１つの包装不良包装品から構成される包装不良製品、及び、少なくとも１つの内容物不良包装品から構成される内容物不良製品が形成される。
【００４９】
更に、第２の設定数の包装不良包装品又は内容物不良包装品が連続して搬送されるごとに、包装品連結体８が切断される。その結果、包装不良製品及び内容物不良製品はそれぞれ、多くても第２の設定数の包装不良包装品及び内容物不良包装品から構成される。
【００５０】
したがって、この場合には、製品９は、良製品、端数製品、包装不良包装品、及び内容物不良製品から構成される。
【００５１】
図５を参照して、切断ユニット１０Ｃでの切断作用を更に説明する。なお、図５においてＭは包装品連結体８の搬送方向を示している。
【００５２】
図５にＹ１で示されるように、切断ユニット１０Ｃに搬送される包装品２が良包装品２Ｇから例えば内容物不良包装品２Ｃに切り換わると、包装品連結体８が切断される。その結果、端数製品１Ｆが形成される。次いで、Ｙ２で示されるように、搬送される包装品２が内容物不良包装品２Ｃから包装不良包装品２Ｐに切り換わると、包装品連結体８が切断される。その結果、内容物不良製品１Ｃが形成される。次いで、Ｙ３で示されるように、搬送される包装品２が包装不良包装品２Ｐから良包装品２Ｇに切り換わると、包装品連結体８が切断される。その結果、包装不良製品１Ｐが形成される。次いで、Ｙ４で示されるように、良包装品２Ｇが第１の設定数だけ連続して搬送されると、包装品連結体８が切断され、良製品１Ｇが形成される。
【００５３】
次いで、Ｙ５で示されるように、搬送される包装品２が良包装品２Ｇから例えば包装不良包装品２Ｐに切り換わると、包装品連結体８が切断され、端数製品１Ｆが形成される。次いで、Ｙ６で示されるように、包装不良包装品２Ｐが第２の設定数だけ連続して搬送されると、包装品連結体８が切断され、包装不良製品１Ｐが形成される。
【００５４】
その上で、良製品１Ｇは第１の搬送経路Ｔ１に沿って搬送され、端数製品１Ｆは第２の搬送経路Ｔ２に沿って搬送され、包装不良製品１Ｐは第３の搬送経路Ｔ３に沿って搬送され、内容物不良製品１Ｃは第４の搬送経路Ｔ４に沿って搬送される。すなわち、良製品１Ｇ、端数製品１Ｆ、包装不良製品１Ｐ及び内容物不良製品１Ｃがそれぞれ互いに異なる搬送経路Ｔ１，Ｔ２，Ｔ３，Ｔ４に沿って搬送される。
【００５５】
このようにすると、包装不良製品１Ｐと内容物不良製品１Ｃとを振り分けることができる。内容物不良製品１Ｃは廃棄される。これに対し、包装不良製品１Ｐを構成する包装品２から、良品の内容物３が取り出される。次いで、この内容物３を正規に包装材４により包装することにより、良包装品２Ｇが形成される。
【符号の説明】
【００５６】
１    連結包装製品
２    包装品
３    内容物
４    包装材
１０    連結包装製品製造装置
１０Ａ    形成ユニット
１０Ｂ    判断ユニット
１０Ｃ    切断ユニット
１０Ｄ    振り分けユニット
【図１】
0005683293.tif 000002
【図２】
0005683293.tif 000003
【図３】
0005683293.tif 000004
【図４】
0005683293.tif 000005
【図５】
0005683293.tif 000006